(57)【特許請求の範囲】
【請求項１】
正面側に開口を有する箱状の筐体と、前記開口を開閉可能に取付けた扉体とからなり、遊技の進行を制御する機器が搭載された主基板を前記筐体に備え、遊技に関する操作情報を入力する一次部品と、当該一次部品から入力した前記操作情報を前記主基板に伝達するための二次部品を実装し、前記一次部品と前記二次部品とを電気的に接続する信号線が付設された中継基板を前記扉体の背面側に備えた遊技機であって、
所定の強度を有する板状部材からなり、前記扉体と前記中継基板の間に取付けて前記中継基板を正面側から覆う不正防止板を備えるとともに、
前記中継基板は、前記信号線をその背面に付設したことを特徴とする遊技機。
【請求項２】
前記不正防止板は、
前記中継基板がその前面に所定の表示機器を実装する場合に、前記表示機器を除く中継基板の領域を正面側から覆い、
前記中継基板は、
前記信号線が、前記不正防止板によって覆われる領域の範囲内に付設されることを特徴とする請求項１記載の遊技機。
【請求項３】
前記中継基板は、
前記一次部品として、所定の可変表示装置を始動させるスタートレバーからの信号を入力するスタート用コネクタ、遊技媒体の投入を検出するメダルセレクタからの信号を入力するセレクタ用コネクタ、又は、出玉率の設定変更信号を入力する設定変更スイッチのいずれか一以上を備えたことを特徴とする請求項１又は２記載の遊技機。
【請求項４】
前記中継基板の背面を覆う透明のカバー部材を備えたことを特徴とする請求項１〜３のいずれか一項記載の遊技機。
【請求項５】
前記扉体の背面側に設置する枠体であって、前記中継基板を収容する基板収容部を背面側に有するとともに、前記不正防止板を取付ける不正防止板取付部を正面側又は背面側に有する中枠を備え、
前記基板収容部に収容した前記中継基板が、前記不正防止板取付部に取付けた前記不正防止板によって覆われることを特徴とする請求項１〜４のいずれか一項記載の遊技機。
【発明の詳細な説明】
【技術分野】
【０００１】
本発明は、遊技機に関し、特に、基板上の信号線やリードを介して行われる不正行為を防止する構造を備えた遊技機に関する。
【背景技術】
【０００２】
遊技者の操作に伴う種々の操作信号が入力される所定の中継基板を備える遊技機が知られている。
例えば、スロットマシンは、リールの回転を始動させるスタートレバーやリールの回転を停止させる停止ボタン等の操作具が配置される操作部を備え、これらの操作部には、遊技者の操作を検出するスイッチ等が設けられている。
そして、これらのスイッチにおいて検出された入力信号が、スイッチに接続された接続ケーブルを介して、中継基板に入力され、さらに中継基板から、接続ケーブルを介して、スロットマシンの遊技動作を制御する主基板に入力される。
これにより、主基板に遊技者の入力操作が伝達され、一連の遊技が進行するようになっている。
【０００３】
近年、中継基板を標的とする不正行為が増えている。
例えば、中継基板に実装されたコネクタ等のリード同士をピアノ線などの不正部材を用いて短絡させることによって、遊技に係る電子回路等の誤動作を起こさせる不正行為が確認されている。
そこで、このような不正行為を防止するための技術として、操作部を備えた前扉の裏側に中継基板（回路基板）を備え、コネクタ等の電子部品が装着された装着面側（即ち、背面側）に保護カバーを、装着面と反対の面に当たる反装着面側(即ち、前面側)に裏カバーを備える遊技機が提案されている（例えば、特許文献１参照）。
このような遊技機によれば、中継基板の反装着面から突出するコネクタのリードを裏カバーによって保護するようにしているため、上記不正行為を防ぐことができる。
【先行技術文献】
【特許文献】
【０００４】
【特許文献１】特開２０１１−４５４０５号公報
【発明の概要】
【発明が解決しようとする課題】
【０００５】
しかしながら、特許文献１に記載された遊技機においては、裏カバーなどの保護部材の堅牢性が考慮されていないためこれらの不正行為を完全に防止することができない問題があった。
例えば、これらの保護部材が、ゴムシートからなる場合（第9の実施形態参照）やプラスチックからなる場合には、ドリル、錐などの道具を用いて比較的容易に保護部材を破壊することができるため、不正行為を抑止することはできても、不正行為そのものを根本的に排除することは困難であった。
また、疑似信号を発振する発信器などの不正部品を、信号線等が付設された中継基板上に装着する不正行為が確認されている。
したがって、特許文献１のように、基板の前面（反装着面）や裏面（装着面）に無秩序に信号線（回路パターン）が付設される構成では、万一、保護部材が破壊された場合、基板の前面に付設された信号線に容易に接触できるようになるため、不正行為の防止措置としては不十分との指摘があった。
さらに、保護部材を取り外してみなければ、不正部品やその装着に至る痕跡を確認することができないため、中継基板の点検がおろそかになり易く、不正行為に対する迅速な対応が困難となる弊害が指摘されていた。
【０００６】
本発明は、上述したような従来の技術が有する問題を解決するために提案されたものであり、所定の強度を有する板状部材からなる不正防止板を中継基板の正面側に取付け、中継基板の背面に信号線を付設することによって、中継基板を介して行われる不正行為を防止することができる遊技機の提供を目的とする。
【課題を解決するための手段】
【０００７】
上記目的を達成するため、本発明の遊技機は、正面側に開口を有する箱状の筐体と、前記開口を開閉可能に取付けた扉体とからなり、遊技の進行を制御する機器が搭載された主基板を前記筐体に備え、遊技に関する操作情報を入力する一次部品と、当該一次部品から入力した前記操作情報を前記主基板に伝達するための二次部品を実装し、前記一次部品と前記二次部品とを電気的に接続する信号線が付設された中継基板を前記扉体の背面側に備えた遊技機であって、所定の強度を有する板状部材からなり、前記扉体と前記中継基板の間に取付けて前記中継基板を正面側から覆う不正防止板を備えるとともに、前記中継基板は、前記信号線をその背面に付設した構成としてある。
【発明の効果】
【０００８】
本発明の遊技機によれば、中継基板を介して行われる不正行為を防止することができる。
【図面の簡単な説明】
【０００９】
【図１】本発明の一実施形態に係るスロットマシンの外観を示す概略斜視図である。
【図２】本発明の一実施形態に係るスロットマシンの内部構成を示す概略斜視図である。
【図３】スロットマシンの前扉に設置される前面パネル、不正防止板、中枠、中継基板及びカバー部材を示す分解斜視図である。
【図４】中継基板の表示機器実装面の実装構成を表した図である。
【図５】中継基板のコネクタ実装面の実装構成を表した図である。
【発明を実施するための形態】
【００１０】
以下、本発明の実施形態について説明する。
遊技機には、パチンコ機、スロットマシン、アレンジボール、雀球など様々な機類があるが、本実施形態では、メダルを遊技媒体とするスロットマシンに本発明に係る中継基板及びその保護部材を適用した場合について、図面を参照しつつ説明する。
【００１１】
［スロットマシン本体］
図１及び図２に示すように、スロットマシン１は、複数のリール４０（４０ａ〜４０ｃ）を備えるドラムユニット４、メダル（遊技媒体）を払い出すメダル払出装置７、コンピュータで構成される主基板６０等が収納可能な箱状の筐体１ｂに構成されており、筐体１ｂの正面側が前扉１ａによって開閉可能に覆われている。
前扉１ａは、スロットマシン１の筐体１ｂにヒンジ等を介して開閉自在に取り付けられる扉体であり、この前扉１ａに無色透明、有色透明又は半透明の樹脂製の前面パネル６とその他各部が備えられてスロットマシン１の正面部を構成している。
前扉１ａの最上部には、表示器Ｌ及びスピーカＳＰが備えられている。表示器Ｌは、液晶パネルやランプからなる表示手段であり、主に、スロットマシン１の遊技性を高めるための演出表示を行い、スピーカＳＰは、演出表示に対応したサウンドや効果音を出力するようになっている。
【００１２】
前面パネル６のほぼ中央部分には表示窓９が設けられ、筐体内の各リール４０ａ〜４０ｃが外部から視認可能となっている。表示窓９は、スロットマシン１の内部に配設された左リール４０ａ，中リール４０ｂ，右リール４０ｃの視認用窓部であり、三つの各リール４０ａ〜４０ｃの周囲に描かれた複数の図柄のうち、縦方向に連続して隣接する複数（通常三つ）の図柄をそれぞれ視認，識別できるようになっている。
また、前面パネル６の表示窓９の下側には、貯留メダル数を表示する貯留枚数表示部６ａと、ボーナス遊技におけるメダルの払出総数や消化ゲーム数を表示する状態表示部６ｂと、入賞時の払出数を表示する獲得枚数表示部６ｃとが備えられている。
【００１３】
前扉１ａの上下方向中央部分には、スタートレバー３，停止ボタン５（５ａ〜５ｃ），メダル投入口２，投入ボタン１０（１０ａ、１０ｂ）等が備えられている。
スタートレバー３は、三つの各リール４０の回転を開始させるゲームスタート手段である。また、このスタートレバー３が遊技者の操作によって押下されることで、主基板６０にスタート信号が出力され、本体内部の各リール４０ａ〜４０ｃが一斉に（又は順次）回転するようになっている。
【００１４】
停止ボタン５は、回転するリール４０を停止させる停止手段であり、左リール４０ａ，中リール４０ｂ，右リール４０ｃに対応して設けられた左停止ボタン５ａ，中停止ボタン５ｂ，右停止ボタン５ｃが備えられている。この各停止ボタン５ａ，５ｂ，５ｃが遊技者の任意のタイミングで押下されることで、主基板６０にストップ信号が出力され、対応する各リール４０ａ，４０ｂ，４０ｃの回転が停止される。
したがって、遊技者がこれらスタートレバー３及び停止ボタン５を操作することにより、三つのリール４０ａ〜４０ｃを回転及び停止させて、各リール４０ａ〜４０ｃに付された図柄を所定の入賞配列となるように揃えるスロットマシン遊技を行うことができる。
【００１５】
メダル投入口２は、ゲームに使用されるメダルの受け入れ口であり、このメダル投入口２から投入されたメダル数に応じてゲームが行えるようになっている。
メダル投入口２の本体内部側には、メダルセレクタ２０が備えられており、ここで投入されたメダル数がカウントされ、そのメダル数を示すメダル信号が、主基板６０に出力される。また、メダル投入口２から投入されるメダルや、入賞に応じて払い出すべきメダルは、クレジットとして内部貯留でき、内部貯留されたクレジットメダルの数が主基板６０に記憶される。
【００１６】
投入ボタン１０は、内部貯留されたクレジットメダルがある場合に、そのクレジットメダルをゲームに投入するためのスイッチである。一回の押下によって一ゲームに投入可能な最大数のメダル（通常３枚）をクレジットメダルから投入するＭＡＸ投入ボタン１０ａと、一回の押下で１枚のメダルをクレジットメダルから投入する１枚投入ボタン１０ｂとが設けられている。なお、前扉１ａの最下部には、メダル払出装置７から払い出されたメダルを受け皿へ導くメダル払出口７ａが設けられている。
【００１７】
主基板６０は、遊技の進行を制御するＣＰＵなどの機器が実装された基板である。
主基板６０は、樹脂ケースに収納され、筐体１ｂ内の上側に設けられている。主基板６０には、複数のコネクタが設けられ、各コネクタはドラムユニット４やメダル払出装置７などと図示しない電気ケーブルを介して接続されている。
また、主基板６０は、メダル投入信号、スタート信号、ストップ信号、出玉率の設定信号等の遊技に関する操作情報を入力する中継基板８と電気ケーブルを介して接続されており、中継基板８を介して入力された操作情報は、主基板６０に実装されたＣＰＵのＩ/Ｏ端子に伝送される。そして、これらの操作情報によって、ＣＰＵが遊技プログラムに基いて動作することで、スロットマシン１の遊技が進行される。
【００１８】
中継基板８は、遊技に関する操作情報を主基板６０に伝達するためのコネクタその他の電子部品が実装された基板である。
中継基板８は、前扉１ａの背面の表示窓６下側に設けられており、メダル投入口２へのメダルの投入を検出するメダルセレクタ２０からのメダル投入信号、所定の可変表示装置を始動させるスタートレバー３からのスタート信号、停止ボタン５からのストップ信号、出玉率の変更操作等の動作を検知するスイッチからの出玉率の設定変更信号といった遊技に関する操作情報を、コネクタ等を介して受信する。受信した遊技に関する操作情報は、基板上の信号線を介して主基板結合用コネクタ８３６に送られ、この主基板結合用コネクタ８３６に接続された電気ケーブルを介して主基板６０へ送信される。
【００１９】
このような中継基板８は、不正行為の標的となり易く、例えば、発信器などの不正部品を、信号線等が付設された中継基板上に装着したり、中継基板８に実装されるコネクタ等の電子部品のリードを短絡したりすることによって遊技動作を不正に発生させる不正行為が確認されている。
そこで、本実施形態のスロットマシン１では、不正行為の対象となりやすい信号線等を中継基板８の背面に付設し、また、中継基板８の正面側には強固な不正防止板１１を取付けることで、これらの不正行為を防止するようにしている。
また、中継基板８の背面側に透明の保護カバーを取付けることで、不正行為の痕跡を容易にかつ迅速に視認できるようにしている。
【００２０】
（中継基板と周辺部材の構成）
次に、中継基板と周辺部材の構成について説明する。
図３は、スロットマシンの前扉に設置される前面パネル、不正防止板、中枠、中継基板及びカバー部材を示す分解斜視図である。
図２及び図３に示すように、中継基板８は、前扉１ａの前面パネル６の背面側に設置される中枠１２に、カバー部材１３とともに取り付けられ、その正面側には、不正防止板１１が取り付けられる。
なお、図３に示すように、「正面側」とは、前扉１ａの前方向を示し、「背面側」とは、前扉１ａの裏方向を示す。
【００２１】
不正防止板１１は、所定の強度を有する板状部材からなる保護部材である。
具体的には、前扉１ａと中継基板８の間の所定位置に取付けたときに、中継基板８が不正防止板１１によって正面側から覆われるようにしている。
すなわち、図３に示すように、不正防止板１１を、中枠１２の不正防止板取付部１２２に固定すると、基板収容部１２１に収容された中継基板８の全体が不正防止板１１によって覆われて保護されるようにしている。
このようにすると、不正行為者が、前扉１ａの正面側から中継基板８への接触を試みたとしても、不正防止板１１によってこれを阻止することができる。
【００２２】
ここで、「所定の強度」とは、不正防止板１１が、ドリルや錐など、不正行為のために使用されることが一般に想定される道具等によって破壊されない程度の強度をいう。
このため、不正防止板１１としては、ステンレスや鋼板などの金属、ガラス，炭素などの繊維を樹脂に混合して生成した繊維強化プラスチック等の堅牢な材料を用いることが好ましい。
このようにすると、不正防止板１１自体の破壊や穿孔を防ぐことができるため、不正行為の防止の万全を図ることができる。
【００２３】
中枠１２は、表示窓９を囲む枠体（窓枠）として形成され、その下部側に中継基板８を収容する基板収容部１２１と不正防止板１１を取付ける不正防止板取付部１２２とが設けてある。基板収容部１２１は、中継基板８を収容可能に凹設され、中継基板８はこの基板収容部１２１内に固定される。不正防止板取付部１２２は、基板収容部１２１の正面側に位置し、不正防止板１１をネジ１１０で固定できるようにしている。
【００２４】
カバー部材１３は、中継基板８の背面側を覆う。そして、カバー部材１３の背面側から中継基板８の取付孔８２０に挿通されるネジ１３０により、中継基板８とともに中枠１２に固定される。
カバー部材１３は、中継基板８のコネクタ実装面８ｂを外部から視認可能かつ容易に破壊できない無色透明な合成樹脂（例えば、ポリカーボネート）で形成される。
カバー部材１３を無色透明することによって、中継基板８のコネクタ実装面８ｂに付設された信号線（銅箔）や信号線上のフィルムが削られた場合の痕跡や、コネクタ実装面８ｂに装着された発信器などの不正部品そのものを、カバー部材１３を取り外さなくても視認することができる。
このため、中継基板８に対する不正なアクセスを容易に発見することができ、不正行為に対する迅速な対応が可能となる。
【００２５】
（中継基板の実装構成）
次に、中継基板の実装構成について説明する。
図４は、中継基板の表示機器面の構成を表した図であり、図５は、中継基板のコネクタ実装面の構成を表した図である。
これらの図に示すように、本実施形態の中継基板８は、コネクタやスイッチなど、主に遊技に関する操作情報を扱う電子部品が実装されるコネクタ実装面８ｂと、ＬＥＤ等の表示機器を実装した表示機器実装面８ａとから構成される。
中継基板８は、表示機器実装面８ａが前面で、コネクタ実装面８ｂが背面にしてある（図３参照）。
【００２６】
例えば、図５に示すように、背面に当たるコネクタ実装面８ｂは、遊技に関する操作情報を入力する一次部品として、スタートレバー３からの電気ケーブルを接続するためのスタート用コネクタ８３１、停止ボタン５からの電気ケーブルを接続するための停止ボタン用コネクタ８３２、メダルセレクタ２０からの電気ケーブルを接続するためのセレクタ用コネクタ８３３、出玉率を設定変更するための設定変更スイッチ８３４を実装する。
また、一次部品から入力した操作情報を主基板６０に伝達するための二次部品として、主基板６０への電気ケーブルを結合するための主基板結合用コネクタ８３６を実装する。
【００２７】
そして、一次部品と二次部品とを電気的に接続するための信号線をコネクタ実装面８ｂに付設することによって、中継基板８の背面に信号線が付設されるようにしている。具体的には、表面に銅箔が積層された基板上において、一次部品と二次部品とを接続するルートにプリントを施し、プリントが施されたルート以外の部分の銅箔を液剤等で除去する工程等を経て対象の信号線を付設する。
対象の信号線としては、スタート用コネクタ８３１〜主基板結合用コネクタ８３６間の信号線８４１、セレクタ用コネクタ８３３〜主基板結合用コネクタ８３６間の信号線８４２、及び、設定変更スイッチ８３４〜主基板結合用コネクタ８３６間の信号線８４３が該当する。
すなわち、操作情報を扱う信号線のうち、特に、不正行為の標的となり易い信号線を中継基板８の背面に配設する。
【００２８】
なお、コネクタ実装面８ｂは、出玉率の設定変更情報を表示するセグメントＬＥＤ８３５、リセット処理やドア開閉に係る信号を受信するコネクタ８３７、投入・精算に係る信号を受信するコネクタ８３８等、遊技に関する操作情報を入出力しない電子部品を実装することも可能であり、特に、このような電子部品の実装を制限するものではない。
【００２９】
このように、本実施形態のスロットマシン１は、遊技に関する操作情報を入力するコネクタ、スイッチ等のみならず、不正行為の標的となり易い信号線を中継基板８の背面に配置するようにしている。
このため、スロットマシン１の正面側から、基板上の信号線や電子部品への接触を試みたとしても、不正防止板１１によってこれを阻止することができ、仮に、不正防止板１１が突破されたとしても、信号線の付設や電子部品の実装が裏面に施されているため不正行為を効果的に防止することができる。
【００３０】
一方、表示機器実装面８ａには、コネクタ実装面８ｂに実装した電子部品のリードが突出され、この突出したリードに対し基板上で半田付けを施すことで電子部品の固定とリードの接続を行うようにしている。
例えば、図４に示すように、スタート用コネクタ８３１の対応した位置にスタート用コネクタリード８０６が、セレクタ用コネクタ８３３の対応した位置にセレクタ用コネクタリード８０８が、設定変更スイッチ８３４の対応した位置に設定変更スイッチリード８１１が、主基板結合用コネクタ８３６の対応した位置に主基板結合用コネクタリード８１０が、それぞれ剥き出しの状態で突出している。これらのリードは、リード同士を短絡させる不正行為の対象となり得る。
本実施形態のように、中継基板８の正面側に不正防止板１１を配置するスロットマシン１によれば、このような不正行為も防止することができる。
なお、表示機器実装面８ａには、設定変更用ＬＥＤリード８０９、リセットセンサ・ドア開閉センサ用コネクタリード８１３、投入・精算用コネクタリード８１２等のリードもあり、これらのリードが不正防止板１１によって保護される効果も奏する。
【００３１】
ところで、本実施形態の中継基板８は、表示機器実装面８ａに、７セグメントＬＥＤ等、遊技に関する所定の情報を表示する表示機器を実装する。
例えば、図４に示すように、貯留メダル数を表示するクレジットＬＥＤ８０１、ボーナス遊技におけるメダルの払出総数や消化ゲーム数を表示するボーナス中払い出し総枚数用ＬＥＤ８０２、入賞時の払出数を表示する払い出し枚数用ＬＥＤ８０３を表示機器として実装し、中継基板８を図３に示す基板収容部１２１に収容することによって、各々が貯留枚数表示部６ａ、状態表示部６ｂ、獲得枚数表示部６ｃとして機能する（図１参照）。
その他、表示機器として、種々の情報表示、装飾のためのＬＥＤ８０４、８０５を表示機器実装面８ａに実装することができる。
【００３２】
このようにして構成された中継基板８に対して、不正防止板１１は、図４及び図５に示すように、表示機器の視認性を確保しながら、リードが剥き出しになる部分を覆うようにしている。
さらに、スタート用コネクタ８３１等の一次部品と主基板結合用コネクタ８３６等の二次部品とをつなぐ信号線は、この「不正防止板領域ｒ」の範囲内に付設してある。
このようにすると、表示機器に表示される情報を視認可能としながら、リード及び信号線に対する不正アクセスを防止することができる。
【００３３】
すなわち、リード同士を短絡して疑似信号を発生させることによって遊技を進行させる不正行為を防ぐことができる。
また、信号線が付設されている領域が、不正防止板１１によって覆われているため、中継基板８の正面側からドリル等により穿孔して信号線に不正アクセスする行為を阻止することができる。
さらに、万一、不正防止板１１に覆われていない部分から中継基板８に接触できたとしても、その部分の表示機器実装面８ａ及びコネクタ実装面８ｂの両面には、遊技に関する操作情報を扱う信号線が施されていないため、信号線を介して行われる不正行為を困難にすることができる。
【００３４】
以上のように、本実施形態に係るスロットマシン１によれば、中継基板８の背面に不正行為の標的となりやすい信号線やコネクタを付設し、ドリルや錐などの道具によっては容易に破壊することができない堅牢な不正防止板１１を、扉体１ａと中継基板８の間に取付けて中継基板８を正面側から覆うようにしている。
また、無色透明の保護カバーを中継基板８の背面側に取付けるようにしている。
このため、中継基板８を介して行われる不正行為を防止するとともに、不正行為に対する迅速な対応を行うことができる。
【００３５】
以上、本発明の遊技機の好ましい実施形態について説明したが、本発明に係る遊技機は、上述した実施形態にのみ限定されるものではなく、本発明の範囲で種々の変更実施が可能であることはいうまでもない。
例えば、不正防止板１１は、中枠１２に取付けるのではなく、中継基板８に直接取付けるようにすることもできる。
また、中枠１２をこのような強固な部材で形成し、基板収容部１２１に収容した中継基板８が中枠１２により覆われるようにすることもできる。
このようにすると、不正防止板１１としての役割を中枠１２が併せ持ち、中枠１２と不正防止板１１とが一体化されることになるため、不正行為の防止に必要な部材を削減し、製造コストや組立時の労力を抑えることができる。
【００３６】
なお、上述の実施形態においては、不正防止板１１を中枠１２の正面側に取付けるようにしているが、これを中枠１２の背面側に取付けるようにすることもできる。例えば、中枠１２の背面側に設けた不正防止板取付部１２２に不正防止板１１と中継基板８を順に重ね、これらをカバー部材１３で覆って取付けることもできる。すなわち、不正防止板１１は、中継基板８の前面を覆うことができればよく、その取付け態様を限定するものではない。
【産業上の利用可能性】
【００３７】
本発明は、スロットマシン等、入力情報にもとづいて遊技を進行する遊技機に好適に利用することができる。
【符号の説明】
【００３８】
１  スロットマシン（遊技機）
１ａ  前扉
１ｂ  筐体
２０  メダルセレクタ
３  スタートレバー
６  前面パネル
８  中継基板（８ａ：表示機器実装面、８ｂ：コネクタ実装面）
８０１〜８０５  表示機器
８０６〜８１３  リード
８３１  スタート用コネクタ
８３３  セレクタ用コネクタ
８３４  設定変更スイッチ
８３６  主基板結合用コネクタ
９  表示窓
１１  不正防止板
１２  中枠
１２１  基板収容部
１２２  不正防止板取付部
１３  カバー部材
【図１】
0005857283.tif 000002
【図２】
0005857283.tif 000003
【図３】
0005857283.tif 000004
【図４】
0005857283.tif 000005
【図５】
0005857283.tif 000006